(57)【要約】【課題】  メール送信者がより多くのメール受信者にマルチメディアデータを取得させる。【解決手段】  ＡＶデータ送信システム１０は、送信側移動機２０から受信したＡＶデータを格納し、当該ＡＶデータの格納場所を識別する格納場所識別番号を含むアクセス先識別番号が組み込まれた電子メールを生成し、当該電子メールを送信側移動機２０に送信する。送信側移動機２０は、受信した電子メールを、送信側のユーザにより任意に選択された複数のユーザがそれそれ所持している受信側移動機２１に対して送信する。受信側移動機２１が、電子メールに組み込まれたアクセス先識別番号に基づいてＡＶデータ送信システム１０にアクセスすると、ＡＶデータ送信システム１０は、アクセスしてきた受信側移動機２１に対して当該アクセス先識別番号に含まれる格納場所識別番号に対応するＡＶデータを送信する。【選択図】  図１
2005149070.tif 000002
【特許請求の範囲】
【請求項１】
送信側端末から受信したマルチメディアデータを受信側端末に送信するマルチメディアデータ送信システムであって、
送信側端末から受信したマルチメディアデータを格納するマルチメディア格納手段と、
前記格納手段により格納されたマルチメディアデータの格納場所を示す格納場所情報を含む電子メールを生成するメール生成手段と、
前記メール生成手段により生成された前記電子メールを前記送信側端末に送信するメール送信手段と、
前記メール送信手段により送信された前記電子メールに含まれる前記格納場所情報に基づいて接続してきた受信側端末に、当該格納場所情報に対応するマルチメディアデータを送信するマルチメディア送信手段と、
を備えることを特徴とするマルチメディアデータ送信システム。
【請求項２】
前記マルチメディア格納手段は、前記送信側端末が接続してから切断するまでの間に受信したマルチメディアデータを格納し、
前記メール生成手段は、前記格納手段により格納された前記送信側端末が接続してから切断するまでの間に受信したマルチメディアデータの格納場所を示す格納場所情報を含む電子メールを生成する
ことを特徴とする請求項１記載のマルチメディアデータ送信システム。
【請求項３】
前記マルチメディア格納手段は、前記送信側端末が接続してから所定の時間が経過するまで、または所定のデータ容量を超過するまでの間に受信したマルチメディアデータを格納することを特徴とする請求項１記載のマルチメディアデータ送信システム。
【発明の詳細な説明】
【技術分野】
【０００１】
本発明は、マルチメディアデータ送信システムに関する。
【背景技術】
【０００２】
下記特許文献１には、添付ファイル付きの電子メールを送信する電子メールシステムが開示されている。具体的に説明すると、特許文献１に記載された電子メールシステムは、メール送信者側から発信された電子メールに添付ファイル（マルチメディアデータ）が付加されている場合に、当該添付ファイルを所定の格納場所に格納し、当該添付ファイルの替わりに当該添付ファイルの格納場所情報を電子メールに付加してメール受信者側に送信する。メール受信者側では、電子メールに付加された格納場所情報に対応する格納場所から添付ファイルを取得する。
【特許文献１】特開２００２−７３５０５号公報
【発明の開示】
【発明が解決しようとする課題】
【０００３】
ところが、上述した特許文献１に記載された電子メールシステムでは、添付ファイル（マルチメディアデータ）を、事前（所定の格納場所に格納される前）に指定された特定のメール受信者以外に取得させることができなかった。
【０００４】
そこで、本発明は、上述した課題を解決するために、メール送信者がより多くのメール受信者にマルチメディアデータを取得させることができるマルチメディアデータ送信システムを提供することを目的とする。
【課題を解決するための手段】
【０００５】
本発明のマルチメディアデータ送信システムは、送信側端末から受信したマルチメディアデータを受信側端末に送信するマルチメディアデータ送信システムであって、送信側端末から受信したマルチメディアデータを格納するマルチメディア格納手段と、格納手段により格納されたマルチメディアデータの格納場所を示す格納場所情報を含む電子メールを生成するメール生成手段と、メール生成手段により生成された電子メールを送信側端末に送信するメール送信手段と、メール送信手段により送信された電子メールに含まれる格納場所情報に基づいて接続してきた受信側端末に、当該格納場所情報に対応するマルチメディアデータを送信するマルチメディア送信手段とを備えることを特徴とする。
【０００６】
この発明によれば、マルチメディア格納手段により送信側端末から受信したマルチメディアデータが格納され、メール生成手段によりマルチメディアデータの格納場所を示す格納場所情報を含む電子メールが生成され、メール送信手段により格納場所情報を含む電子メールが送信側端末に送信されるため、送信側端末では、マルチメディアデータの格納場所を示す格納場所情報が含まれた電子メールを、送信側のユーザにより任意に選択された複数のユーザがそれそれ所持している受信側端末に対して送信することができる。また、マルチメディア送信手段により、電子メールに含まれる格納場所情報に基づいて接続してきた受信側端末に対して当該格納場所情報に対応するマルチメディアデータが送信されるため、送信側のユーザにより任意に選択されたユーザが所持する端末にマルチメディアデータを取得させることができる。
【０００７】
本発明のマルチメディアデータ送信システムにおいて、マルチメディア格納手段は、送信側端末が接続してから切断するまでの間に受信したマルチメディアデータを格納し、メール生成手段は、格納手段により格納された送信側端末が接続してから切断するまでの間に受信したマルチメディアデータの格納場所を示す格納場所情報を含む電子メールを生成させることが好ましい。このようにすれば、送信側端末が接続してから切断するまでの間に当該送信側端末から受信したマルチメディアデータに対応する格納場所情報を含む電子メールを生成し、この生成した電子メールを、送信側のユーザにより任意に選択された複数のユーザがそれそれ所持している受信側端末に対して送信することができる。
【０００８】
また、上記マルチメディア格納手段は、送信側端末が接続してから所定の時間が経過するまで、または所定のデータ容量を超過するまでの間に受信したマルチメディアデータを格納させることが好ましい。このようにすれば、マルチメディアデータのデータ容量を、システム側で設定した所定の時間内に送信されたデータ容量またはシステム側で設定した所定のデータ容量以下に制限することができる。
【発明の効果】
【０００９】
本発明に係るマルチメディアデータ送信システムによれば、メール送信者がより多くのメール受信者にマルチメディアデータを取得させることができる。
【発明を実施するための最良の形態】
【００１０】
以下、本発明の実施形態を図面に基づき説明する。なお、各図において、同一要素には同一符号を付して重複する説明を省略する。なお、本実施形態におけるＡＶデータとは、音声データ、動画像データ、静止画像データ等を含むマルチメディアデータのことをいう。
【００１１】
本発明の実施形態におけるＡＶデータ送信システム１０（マルチメディアデータ送信システム）について説明する。図１は、ＡＶデータ送信システム１０を用いたネットワークの構成を例示する図である。ＡＶデータ送信システム１０と移動機２０，２１は、それぞれ通信回線３０に接続され、通信回線３０を経由して相互にデータの送受信を行なうことができる。通信回線３０は、基地局や交換局などからなる移動体通信網と、固定電話網とを含んで構成される。
【００１２】
送信側移動機２０は、ＡＶデータの送信元となる送信側のユーザが使用する端末であり、受信側移動機２１は、ＡＶデータの送信先となる受信側のユーザが使用する端末である。
【００１３】
ＡＶデータ送信システム１０は、送信側移動機２０から受信したＡＶデータを格納するとともに、当該送信側移動機２０により指定された特定の受信側移動機２１が接続してきた場合に当該受信側移動機２１に対してＡＶデータを送信するシステムである。
【００１４】
なお、本実施形態における移動機２０，２１としては、例えば、携帯電話機、簡易型携帯電話機（ＰＨＳ）、通信機能を有する携帯型情報端末（ＰＤＡ）等が該当するが、特に、動画像を表示可能なテレビ電話対応機種であることがより好ましい。また、受信側移動機２１は、移動機に限定することなく、パソコン（ＰＣ端末）等の固定端末であってもよい。
【００１５】
次に、図２を参照してＡＶデータ送信システム１０の機能構成を説明する。図２に示すように、ＡＶデータ送信システム１０は、アクセス元識別部１１と、ＡＶデータ送信要求部１２と、ＡＶデータ受信部１３と、ＡＶデータ格納部１４（マルチメディア格納手段）と、メール生成部１５（メール生成手段）と、メール送信部１６（メール送信手段）と、ＡＶデータ送信部１７（マルチメディア送信手段）とを備えている。
【００１６】
アクセス元識別部１１は、アクセスしてきた移動機２０，２１から受信したアクセス要求に基づいて当該移動機が、送信側移動機２０であるか受信側移動機２１であるかを識別する。具体的に説明すると、アクセス元識別部１１は、アクセス要求に含まれるアクセス先識別番号（後述）にＡＶデータの格納場所を識別する格納場所識別番号（後述）が含まれている場合には、アクセスしてきた移動機を受信側移動機２１であると識別する。一方、アクセス要求に含まれるアクセス先識別番号に格納場所識別番号が含まれていない場合には、アクセスしてきた移動機を送信側移動機２０であると識別する。また、アクセス元識別部１１は、アクセスしてきた移動機が送信側移動機２０である場合には、移動体通信網から通知される発信者番号に基づいて送信側移動機２０の電話番号を取得する。
【００１７】
ここで、前述したアクセス先識別番号について説明する。アクセス先識別番号は、送信側移動機２０および受信側移動機２１が、ＡＶデータ送信システム１０にアクセスする際に、ユーザにより入力または選択される番号である。アクセス先識別番号の具体例としては、例えば、送信側移動機２０の場合には、ＡＶデータ送信システム１０への短縮電話番号（例えば、＊４１４１）が該当し、受信側移動機２１の場合には、ＡＶデータ送信システム１０への短縮電話番号（例えば、＊４１４１）および受信側移動機２１が取得するＡＶデータの格納場所を識別する格納場所識別番号（例えば、＊９８７６５４３２１）が該当する。この短縮電話番号により、移動機２０，２１がＡＶデータ送信システム１０にアクセスすることができ、格納場所識別番号により、受信側移動機２１に送信するＡＶデータの格納場所を識別することができる。
【００１８】
ＡＶデータ送信要求部１２は、ＡＶデータの送信を開始するように要求するＡＶデータ送信要求を送信側移動機２０に送信する。ＡＶデータ送信要求としては、例えば、ＡＶデータの送信を開始するように要求する旨のメッセージによる送信要求であってもよいし、ＡＶデータの送信開始をカウントダウンして合図する動画像データによる送信要求であってもよい。
【００１９】
ＡＶデータ受信部１３は、送信側移動機２０から送信されるＡＶデータを受信する。なお、送信側移動機２０から送信されるＡＶデータは、送信側移動機２０に既に記憶されているＡＶデータであってもよいし、送信側移動機２０に搭載されている画像入力装置により撮影されているＡＶデータであってもよい。
【００２０】
ＡＶデータ格納部１４は、ＡＶデータ受信部１３により受信されたＡＶデータをメモリに記憶させる。ＡＶデータ格納部１４は、送信側移動機２０がＡＶデータ送信システム１０との接続を切断した場合に、ＡＶデータの受信が終了したと判断して、メモリに記憶させたＡＶデータを後述するＡＶデータベース１８に格納して保存する。なお、ＡＶデータの受信が終了した場合としては、上述した接続を切断した場合に限られず、例えば、送信側移動機２０がＡＶデータ送信システム１０に接続してから所定の時間（例えば、３〜５分）が経過した場合や、送信側移動機２０がＡＶデータ送信システム１０に接続してから受信したＡＶデータのデータ容量が所定のデータ容量を超過した場合、送信側移動機２０から送信終了メッセージを受信した場合等であってもよい。所定の時間が経過した場合や所定のデータ容量を超過した場合にＡＶデータの受信が終了したと判断することによって、ＡＶデータのデータ容量を、システム側で設定した所定の時間内に送信されたデータ容量またはシステム側で設定した所定のデータ容量以下に制限することがでる。
【００２１】
ここで、図３を参照して、ＡＶデータベース１８のデータベース構成について説明する。ＡＶデータベース１８は、データ項目として、例えば、送信側電話番号、アクセス先識別番号、格納ディレクトリ、ＡＶデータを有する。送信側電話番号には、例えば“０９０８８８８７７７７”のような送信側移動機２０の電話番号が格納される。アクセス先識別番号には、例えば、“＊４１４１＊９８７６５４３２１”のようなＡＶデータ送信システム１０への短縮電話番号およびＡＶデータの格納場所識別番号が格納される。格納ディレクトリには、例えば、“ｃ：／ａｖ／ａｂｃ．ｍｐ４”のようなＡＶデータの格納ディレクトリが格納される。ＡＶデータには、例えば、“ａｂｃ．ｍｐ４”のようなＡＶデータのファイル名が格納される。なお、ＡＶデータベース１８に登録されたＡＶデータは、所定の期間が経過した後に削除することとしてもよい。所定の期間としては、例えば、受信側移動機２１により５０回アクセスされるまでの間であってもよいし、１週間であってもよい。
【００２２】
メール生成部１５は、ＡＶデータベース１８に格納されたアクセス先識別番号をメール本文に組み込んで、送信側移動機２０に送信する電子メールを生成する。ここで、電子メールの本文にアクセス先識別番号を組み込む方法としては、例えば、“Ｐｈｏｎｅ ｔｏ”を用いる方法がある。これにより、電子メールに組み込まれたアクセス先識別番号に対応する部分を選択して確定するだけで、ＡＶデータ送信システム１０にアクセスすることができる。また、電子メールとしては、例えば、ＳＭＳ（Short Message Service）メールを用いればよく、この場合には、送信先のメールアドレスとして送信側移動機２０の電話番号を設定すればよい。メール送信部１６は、アクセス先識別番号が組み込まれた電子メールを送信側移動機２０に送信する。
【００２３】
ＡＶデータ送信部１７は、電子メールに組み込まれたアクセス先識別番号に基づいてアクセスしてきた受信側移動機２１に、当該アクセス先識別番号に対応するＡＶデータを送信する。すなわち、ＡＶデータ送信部１７は、アクセス先識別番号に基づいて、ＡＶデータベース１８から当該アクセス先識別番号に対応するＡＶデータを抽出し、当該抽出したＡＶデータを受信側移動機２１に送信する。
【００２４】
次に、図４を参照してＡＶデータ送信システム１０を用いたネットワークにおける動作を説明する。
【００２５】
まず、送信側移動機２０は、ユーザの操作指示にしたがいＡＶデータ送信システム１０の短縮電話番号（例えば、＊４１４１）が入力され、確定されると、ＡＶデータ送信システム１０に対してアクセス要求を発信する（ステップＳ１）。すなわち、送信側移動機２０は、短縮電話番号を含むアクセス先識別番号（例えば、“＊４１４１”）に基づいて発呼することによりＡＶデータ送信システム１０にアクセスする。
【００２６】
次に、ＡＶデータ送信システム１０のアクセス元識別部１１は、アクセス要求に含まれるアクセス先識別番号に基づいて移動機が送信側移動機２０であるか受信側移動機２１であるかを識別する。そして、アクセス先識別番号に格納場所識別番号が含まれていない場合には、アクセスしてきた移動機を送信側移動機２０であると識別し、移動体通信網から通知される発信者番号に基づいて送信側移動機２０の電話番号を取得する（ステップＳ２）。
【００２７】
次に、ＡＶデータ送信システム１０のＡＶデータ送信要求部１２は、ＡＶデータの送信を開始するように要求するＡＶデータ送信要求を送信側移動機２０に送信する（ステップＳ３）。ＡＶデータ送信要求を受信した送信側移動機２０は、ユーザの操作指示にしたがいＡＶデータの送信を開始する（ステップＳ４）。
【００２８】
次に、ＡＶデータ送信システム１０のＡＶデータ受信部１３は、送信側移動機２０から送信されるＡＶデータを受信する（ステップＳ５）。送信側移動機２０は、ＡＶデータの送信が終了した場合に、ユーザの操作指示にしたがいＡＶデータ送信システム１０との接続を切断する（ステップＳ６）。ＡＶデータ格納部１４は、送信側移動機２０との接続が切断された場合にＡＶデータの受信が終了したと判断し、ＡＶデータ受信部１３により受信されたＡＶデータを、送信側電話番号、アクセス先識別番号および格納ディレクトリに対応づけてＡＶデータベース１８に格納する（ステップＳ７）。
【００２９】
次に、ＡＶデータ送信システム１０のメール生成部１５は、ＡＶデータベース１８に格納されたアクセス先識別番号をメール本文に組み込んで、送信側移動機２０に送信する電子メールを生成する（ステップＳ８）。ＡＶデータ送信システム１０のメール送信部１６は、アクセス先識別番号が組み込まれた電子メールを送信側移動機２０に送信する（ステップＳ９）。
【００３０】
次に、電子メールを受信した送信側移動機２０は、ユーザの操作指示にしたがい、電子メールの転送先メールアドレスに、ＡＶデータを受信させたいユーザのメールアドレスを設定する（ステップＳ１０）。すなわち、送信側のユーザは、任意の複数のユーザに対してアクセス先識別番号が組み込まれた電子メールを送信することができる。送信側移動機２０は、ユーザの操作指示にしたがいアクセス先識別番号が組み込まれた電子メールを送信する（ステップＳ１１）。
【００３１】
次に、電子メールを受信した受信側移動機２１は、ユーザの操作指示にしたがい電子メールの本文に組み込まれたアクセス先識別番号が選択され、確定されると、ＡＶデータ送信システム１０に対してアクセス要求を発信する（ステップＳ１２）。すなわち、受信側移動機２１は、短縮電話番号および格納場所識別番号を含むアクセス先識別番号（例えば、“＊４１４１＊９８７６５４３２１”）に基づいて発呼することにより、ＡＶデータ送信システム１０にアクセスする。
【００３２】
ＡＶデータ送信システム１０のアクセス元識別部１１は、アクセス要求に含まれるアクセス先識別番号に基づいて移動機が送信側移動機２０であるか受信側移動機２１であるかを識別する。そして、アクセス先識別番号に格納場所識別番号が含まれている場合には、アクセスしてきた移動機を受信側移動機２１であると識別する。
【００３３】
次に、ＡＶデータ送信部１７は、アクセス先識別番号に含まれる格納場所識別番号に基づいて、ＡＶデータベース１８から当該格納場所識別番号に対応するＡＶデータを抽出し（ステップＳ１３）、当該抽出したＡＶデータを受信側移動機２１に送信する（ステップＳ１４）。
【００３４】
以上のように、本実施形態におけるＡＶデータ送信システム１０を採用することによって、ＡＶデータ格納部１４により送信側移動機２０から受信したＡＶデータが格納され、メール生成部１５によりＡＶデータの格納場所を識別する格納場所識別番号を含むアクセス先識別番号が組み込まれた電子メールが生成され、メール送信部１６によりアクセス先識別番号が組み込まれた電子メールが送信側移動機２０に送信されるため、送信側移動機２０では、ＡＶデータの格納場所識別番号を含むアクセス先識別番号が組み込まれた電子メールを、送信側のユーザにより任意に選択された複数のユーザがそれそれ所持している受信側移動機２１に対して送信することができる。また、ＡＶデータ送信部１７により、電子メールに組み込まれたアクセス先識別番号に基づいて接続してきた受信側移動機２１に対して当該アクセス先識別番号に含まれる格納場所識別番号に対応するＡＶデータが送信されるため、送信側のユーザにより任意に選択されたユーザが所持する受信側移動機２１にＡＶデータを取得させることができる。一方、アクセス先識別番号が組み込まれた電子メールを受信したユーザは、自身でＡＶデータを取得するか否かを決定することができるため、迷惑データの受信を事前に防止することができる。
【００３５】
なお、上述した実施携帯においては、受信側の端末が移動機である場合について説明しているが、受信側の端末がＰＣ端末であってもよい。この場合に、メール生成部１５は、ＡＶデータベース１８に格納された格納ディレクトリに基づいてＵＲＬ（Uniform Resource Locator）を生成し、このＵＲＬをメール本文に組み込んで、送信側移動機２０に送信する電子メールを生成すればよい。この電子メールを受信したＰＣ端末では、ユーザの操作指示にしたがい電子メールの本文に組み込まれたＵＲＬが選択され、確定されると、ＡＶデータ送信システム１０に対してアクセス要求が送信される。これにより、ＡＶデータ送信システム１０のＡＶデータ送信部１７は、ＵＲＬに含まれる格納ディレクトリに基づいて、ＡＶデータベース１８から当該格納ディレクトリに対応するＡＶデータを抽出し、当該抽出したＡＶデータをＰＣ端末に送信することとなる。
【図面の簡単な説明】
【００３６】
【図１】実施形態におけるＡＶデータ送信システムを用いたネットワークの構成を示す図である。
【図２】図１に示すＡＶデータ送信システムの機能構成を示すブロック図である。
【図３】ＡＶデータベースのデータ構成を示す図である。
【図４】ＡＶデータ送信システムを用いたネットワークにおける動作を示すシーケンス図である。
【符号の説明】
【００３７】
１０・・・ＡＶデータ送信システム、１１・・・アクセス元識別部、１２・・・ＡＶデータ送信要求部、１３・・・ＡＶデータ受信部、１４・・・ＡＶデータ格納部、１５・・・メール生成部、１６・・・メール送信部、１７・・・ＡＶデータ送信部、１８・・・ＡＶデータベース、２０・・・送信側移動機、２１・・・受信側移動機、３０・・・通信回線。
【図１】
2005149070.tif 000003
【図２】
2005149070.tif 000004
【図３】
2005149070.tif 000005
【図４】
2005149070.tif 000006